(57)【特許請求の範囲】
【請求項１】
被検眼の眼底を照明する照明系と、
この照明系により照明された眼底を観察する観察系と、
固視標光束を先端部から前記眼底に向けて出射する固視標棒が前記照明系に配置されていると共に、前記先端部が前記固視標棒と共にＸ，Ｙ方向に移動操作可能に設けられた固視装置と、
前記先端部の呈示状態を被検者の応答に応じて検者又は被検者が入力する応答入力手段と、
前記応答入力手段により入力された応答と前記固視標の呈示状態を対応して記録する記録手段と、
前記照明系から赤外光を出射させて前記固視標棒の固視標棒像を前記赤外光により前記眼底に投影させて前記眼底および前記固視標棒像を前記観察系により赤外光で観察させる制御回路と、を備え、
前記制御回路は、前記赤外光による観察時に前記固視標装置を制御して、前記被検眼に視認させる前記固視標光束を前記固視標棒の先端部から出射させて前記眼底に投影させることを特徴とする眼底カメラ。
【請求項２】
前記固視標装置は、前記先端部の光量や色が変更可能であることを特徴とする請求項1に記載の眼底カメラ。
【発明の詳細な説明】
【０００１】
【発明の属する技術分野】
この発明は、被検眼を誘導する固視標が照明光学系に設けられた眼底カメラに関するものである。
【０００２】
【従来の技術】
従来の眼底カメラには、照明光学系の光路途中に配設した視標棒を被検眼の眼底（被検眼眼底）と共役又は略共役に設けると共に、この視標棒を光軸に直交する方向に移動可能に設けた固視標装置が考えられている。
【０００３】
この眼底カメラにおいては、視標棒を光軸に直交する方向に移動させて、視標棒の光軸に対する位置を変えることで、被検眼の固視方向を誘導できると共に、この固視標の位置を眼底像と共に同時に撮影可能である。
【０００４】
また、赤外光観察ができる無散瞳眼底カメラには、固視のための輝点像を固視標として撮影光学系の光路の一部を介して被検眼眼底に投影する様にした固視標装置が考えられている。
【０００５】
【発明が解決しようとする課題】
しかしながら、従来の固視標装置は、変化のない固視標を被検眼に単に投影しているだけであったので、弱視の人や眼底に疾患のある人にとっては固視標を必ずしも認識できない場合もあった。この様に弱視や眼底疾患を有する被検者の見え方がどのようになっているかを簡易且つ正確に診断できるのが望ましい。
【０００６】
そこで、この発明は、弱視や眼底疾患を有する被検者の見え方がどのようになっているかを簡易且つ正確に診断できる眼底カメラを提供することを目的とするものである。
【０００７】
【課題を解決するための手段】
この目的を達成するため、請求項１の発明の眼底カメラは、被検眼の眼底を照明する照明系と、この照明系により照明された眼底を観察する観察系と、固視標光束を先端部から前記眼底に向けて出射する固視標棒が前記照明系に配置されていると共に、前記先端部が前記固視標棒と共にＸ，Ｙ方向に移動操作可能に設けられた固視装置と、前記先端部の呈示状態を被検者の応答に応じて検者又は被検者が入力する応答入力手段と、前記応答入力手段により入力された応答と前記固視標の呈示状態を対応して記録する記録手段と、前記照明系から赤外光を出射させて前記固視標棒の固視標棒像を前記赤外光により前記眼底に投影させて前記眼底および前記固視標棒像を前記観察系により赤外光で観察させる制御回路と、を備え、前記制御回路は、前記赤外光による観察時に前記固視標装置を制御して、前記被検眼に視認させる前記固視標光束を前記固視標棒の先端部から出射させて前記眼底に投影させることを特徴とする。
【０００８】
また、請求項２の発明の眼底カメラは、請求項１に記載の眼底カメラにおいて、前記固視標装置は、前記先端部の光量や色が変更可能であることを特徴とする。
【００１０】
【発明の実施の形態】
以下、本発明の実施の形態を図面に基づいて説明する。
[構成]
図1は、本発明で処理対象とする眼底像を撮影(撮像)するための眼底カメラ(眼科検査装置)の光学系の主要部の一例を示すもので、被検眼眼底を照明するための照明系（照明光学系）Ａと、被検眼眼底を観察あるいは撮影するための観察撮影系（観察撮影光学系）Ｂと、固視標装置Ｃ（図１〜図４参照）と、制御回路Ｄ（図５参照）を有する。
＜照明系Ａ＞
この照明系Ａは観察照明光学系１と撮影照明光学系２を有する。
（観察照明光学系１）
観察照明光学系１は、観察用照明光源３，コンデンサレンズ４，赤外フィルター５，斜設ハーフミラー６，リングスリット７，リレーレンズ８，ハーフミラー９，リレーレンズ１０，中央に開口穴１１ａを有する穴あきミラー１１，対物レンズ１２を有する。この赤外フィルター５は、可視光をカットし赤外光のみを透過する様になっている。そして、観察用照明光源３から出射した光は，コンデンサレンズ４により平行光束とされた後に、赤外フィルター５により可視光がカットされる。この可視光がカットされた後の赤外光は、斜設ハーフミラー６で反射した後，リングスリット７，リレーレンズ８，ハーフミラー９，リレーレンズ１０，穴あきミラー１１及び対物レンズ１２を介して被検眼Ｅの眼底Ｅｆに投影され、被検眼Ｅの眼底Ｅｆを照明する。
（撮影照明光学系２）
この撮影照明光学系２は、撮影用照明光源１３，コンデンサレンズ１４及び斜設ハーフミラー６，リングスリット７，リレーレンズ８，ハーフミラー９，リレーレンズ１０，穴あきミラー１１，対物レンズ１２を有する。そして、撮影用照明光源１３から出射した光は，コンデンサレンズ４により平行光束とされた後に、斜設ハーフミラー６を透過して、リングスリット７，リレーレンズ８，ハーフミラー９，リレーレンズ１０，穴あきミラー１１及び対物レンズ１２を介して被検眼Ｅの眼底Ｅｆに投影され、被検眼Ｅの眼底Ｅｆを照明する。
＜観察撮影系B＞
観察撮影系Bは、撮影光学系ｂ１と観察光学系ｂ２を有する。
（撮影光学系ｂ１）
撮影光学系ｂ１は、対物レンズ１２，穴あきミラー１１の開口穴１１ａ，合焦レンズ１５，結像レンズ１６，撮影装置（撮像装置）１７をこの順に有する。この撮影装置１７としては、ポラロイドカメラや３５ｍｍカメラ或いは電子スチルカメラ、ＴＶカメラ等を用いることができる。
【００１１】
そして、被検眼Ｅの眼底Ｅｆで反射された光束は、対物レンズ１２および穴あきミラー１１の開口穴１１ａを透過した後、合焦レンズ１５および結像レンズ１５により、撮影装置１７の撮像手段（フィルム又はＣＣＤ）上に被検眼眼底像を形成する。
（観察光学系ｂ２）
観察光学系ｂ２は、対物レンズ１２，穴あきミラー１１の開口穴１１ａ，合焦レンズ１５，結像レンズ１６を有する。また、観察光学系ｂ２は、結像レンズ１６と撮影装置１７との間に挿脱可能に設けられたクイックリターンミラー１８，フィールドレンズ１９，斜設ミラー２０，リレーレンズ２１，赤外テレビカメラ（赤外撮像管すなわち撮像手段）２２，赤外テレビカメラ２２からの映像信号が入力される演算制御回路２２ａと、演算制御回路２２ａからの映像信号から眼底Ｅｆ等を表示させるモニターテレビ（表示装置）２３を有する。尚、上述したように撮影装置１７で被検眼Ｅの眼底Ｅｆを撮影する場合には、クイックリターンミラー１８は破線で示したように結像レンズ１６と撮影装置１７との間から外される。
【００１２】
そして、眼底Ｅｆからの反射光束は、クイックリターンミラー１８が結像レンズ１６と撮影装置１７との間に挿入された状態では、対物レンズ１２，穴あきミラー１１の開口穴１１ａ，合焦レンズ１５，結像レンズ１６に案内された後、クイックリターンミラー１８，フィールドレンズ１９，斜設ミラー２０，リレーレンズ２１を介して赤外テレビカメラ２２に受光され、赤外テレビカメラ２２で眼底像が撮影（撮像）される。この赤外テレビカメラ２２からの映像信号からモニターテレビ２３に入力され、モニターテレビ２３には被検眼Ｅの眼底Ｅｆが表示される。
＜固視標装置Ｃ＞
上述の照明系Ａと観察撮影系Ｂは、図１に示したように撮影装置１７及びモニターテレビ２３を除いて図２本体ケース２４内に収納されている。この本体ケース２４には、斜設ミラー９とリレーレンズ１０との間に対応して大径の移動穴２５が図２の如く形成されている。そして、この本体ケース２４の移動穴２５には固視標装置Ｃのシリンダ２６が挿通されている。尚、図１では、説明の便宜上、固視標装置Ｃを本体ケース２４の前側に配置しているが、固視標装置Ｃは実際には図１の紙面と直交する方向の側面に配置される。
【００１３】
このシリンダ２６には、本体ケース２４の内側面及び外側面にそれぞれ密接して移動穴２５を閉成する遮光板２７，２８が固定されている。この遮光板２７，２８は、本体ケース２４の内側面及び外側面に対してそれぞれ摺接移動可能に設けられている。
【００１４】
尚、遮光板２７，２８は、照明系Ａの斜設ミラー９とリレーレンズ１０との間の光軸Ｏに沿う方向（Ｚ方向）と、このＺ方向と直交し且つ本体ケース２４の内側面及び外側面に沿うＸ方向に移動可能に、且つこれらの移動に際してシリンダ２６が軸線回りに回転しないように設けられる。
【００１５】
例えば、図示は省略するが、光軸Ｏに沿って本体ケースの内面に取り付けられた第１のガイドレールと、このガイドレールに移動可能に設けられた第１のスライダと、この第１のスライダにガイドレールと直交する方向に設けられた第２のガイドレールと、この第２のガイドレールに移動可能に設けられた第２のスライダ等からなるテーブル機構をスライド機構として設ける。そして、ケース本体２４又はケース本体２４の内側面側に位置する遮光板２７を第２のスライダに保持させることで、シリンダ２６はＸ，Ｚ方向に移動はするが軸線回りには回動不可能となる。
【００１６】
また、このシリンダ２６内には、スライダ２９が進退自在に保持されている。このシリンダ２６の下面には長手方向に延びるスリット３０が形成されている。このスリット３０には、筒状の光源保持部材３１の小径部３１ａがスリット３０の幅方向には遊びがなく且つスリット３０の長手方向には移動可能に挿通されて、スライダ２９がシリンダ２６の軸線回りに回転しないようになっている。そして、この小径部３１ａはスライダ２９に螺着又は接着、或いは溶着等により固定されていてる。
【００１７】
この光源保持部材３１内には図２〜図４に示した様に光源取付穴３２が形成され、この光源取付穴３２の下端部内には固視用光源３３が配設されている。また、光源保持部材３１には、図４に示したように遮光板２８に沿う方向に光源取付穴３２の上部を貫通する貫通孔３４，３５が形成され、この貫通孔３４，３５にはフィルタ保持部材３６が遮光板２８と平行に挿通されている。このフィルタ保持部材３６には３つのフィルタ取付穴３６ａ，３６ｂ，３６ｃが並設され、３つのフィルタ取付穴３６ａ，３６ｂ，３６ｃには異なった透過特性（例えば、赤色、青色、緑色等の波長の透過特性）を有するフィルタＦ１，Ｆ２，Ｆ３が取り付けられている。また、フィルタ保持部材３６の両端には磁性体Ｍ１，Ｍ２が取り付けられ、光源保持部材２９の外側面には貫通孔３２，３２ａに近接して近接スイッチＳ１，Ｓ２が取り付けられている。
【００１８】
しかも、光源保持部材３１の上端部には光源取付穴３２の上端に開口するファイバ取付孔３７が形成され、スライダ２９にはシリンダ２６の本体ケース２４内の端壁２６ａを貫通する筒体３８が一体に設けられている。このファイバ取付孔３７及び筒体３８には光ファイバ３９の両端側が嵌着固定されている。そして、この光ファイバ３９の一端３９ａは光源取付穴３２の上端中央に臨んでいる。また、光ファイバ３９の他端部３９ｂは、筒体３８から突出していると共に、光軸Ｏと沿う方向で且つリレーレンズ１０側に折曲されている。
【００１９】
また、スライダ２９にはシリンダ２６の外端壁２６ｂを貫通して外方に突出する操作軸２９ａが一体に設けられ、操作軸２９ａの端部には操作ツマミ２９ｂが設けられている。
＜制御回路Ｄ＞
制御回路Ｄは、図５に示した演算制御回路２２ａと、この演算制御回路２２ａに接続された近接スイッチ（検出手段）Ｓ１，Ｓ２を有する。
【００２０】
この演算制御回路２２ａは、観察用照明光源３，撮影用照明光源１３及び固視用光源３１等を作動制御すると共に、ソレノイド１８ａを作動制御する。このソレノイド１８ａは、作動時にクイックリターンミラー１８を結像レンズ１６と撮影装置１７との間から破線で示したように退避させる様になっている。
【００２１】
また、制御回路Ｄは、演算制御回路２２ａに接続された光量切換手段４０，点滅周期切換手段４１及び記録手段４２を有する。この光量切換手段４０には、固視用光源３３の光量を切り換えるボリュームスイッチやロータリースイッチ等が用いられる。また、点滅周期切換手段４１にも、固視用光源３３の点滅周期を切り換えるボリュームスイッチやロータリースイッチ等が用いられる。記録手段４２には、メモリやハードディスク，光磁気ディスク，ＤＶＤ−ＲＡＭ，ＭＯ，ＣＤＲ，ＣＤ−ＲＷ等その他の情報記録再生装置を用いることができる。
【００２２】
更に、演算制御回路２２ａには、被検者が操作又は検者が被検者の応答に応じて操作する応答スイッチ４３と、スピーカ４４が接続されている。
[作用]
次に、この様な構成の眼科検査装置（眼底カメラ）の作用を説明する。
（１）．眼底の赤外による観察及び固視誘導
この様な構成において、眼底カメラの図示しない電源スイッチを投入すると、演算制御回路２２ａは観察用照明光源３を点灯させると共に、固視用光源３３を点灯させる。この際、クイックリターンミラー１８は、結像レンズ１６と撮影装置１７との間に挿入された状態となっている。
【００２３】
これにより、観察用照明光源３から出射した光は，コンデンサレンズ４により平行光束とされた後に、赤外フィルター５により可視光がカットされる。この可視光がカットされた後の赤外光は、斜設ハーフミラー６で反射した後，リングスリット７，リレーレンズ８，ハーフミラー９，リレーレンズ１０，穴あきミラー１１及び対物レンズ１２を介して被検眼Ｅの眼底Ｅｆに投影され、被検眼Ｅの眼底Ｅｆを照明する。この際、固視標装置Ｃの筒体（固視用棒）３８の影が眼底Ｅｆに投影される。
【００２４】
この照明により眼底Ｅｆから反射した反射光束は、対物レンズ１２，穴あきミラー１１の開口穴１１ａ，合焦レンズ１５，結像レンズ１６に案内された後、クイックリターンミラー１８，フィールドレンズ１９，斜設ミラー２０，リレーレンズ２１を介して赤外テレビカメラ２２に受光され、赤外テレビカメラ２２で眼底像が撮影（撮像）される。この赤外テレビカメラ２２からの映像信号からモニターテレビ２３に入力され、モニターテレビ２３には図６の如く被検眼Ｅの眼底Ｅｆの眼底血管像５０，乳頭部５１，黄斑部５２，中心窩５２ａ及び固視標棒像５３等を含む眼底像Ｅｆ′がリアルタイムで表示される。
【００２５】
一方、固視用光源３３から出射した固視用光束は、フィルタＦ１，Ｆ２，Ｆ３のうち光源取付穴３２に臨むもの、図ではフィルタＦ２を透過して、光ファイバ３９に入射する。この際、固視用光束は、フィルタＦ２の色の波長の光が透過し、たとえばフィルタＦ２の色が緑であれば、緑色の波長の光がフィルタＦ２を透過し、この透過した波長の光の固視用光束が光ファイバ３９に一端３９ａから入射する。この光ファイバ３９に入射した固視用光束は、光ファイバ３９の他端部３９ｂから出射して、リレーレンズ１０，穴あきミラー１１，対物レンズ１２を介して眼底Ｅｆに固視標として投影される。
【００２６】
これにより被検眼Ｅには眼底Ｅｆに投影される固視用光束を固視させる。この状態で、検者は操作ツマミ２９ｂを掴んでスライダ２９をシリンダ２６の長手方向（Ｙ方向）に進退動させて、光ファイバ３９の他端部（先端部）３９ａを光軸Ｏに対して進退動させることにより、図６中の固視標棒像５３は矢印５４で示した方向に進退移動する。また、シリンダ２６をＸ方向に進退移動させて、光ファイバ３９の他端部（先端部）３９ａをＹ方向と直交する方向で且つ光軸Ｏに対して直交する方向に移動させることで、図６中の固視標棒像５３は矢印５５で示した方向に進退移動する。更に、シリンダ２６をＺ方向に移動させることで、図６中の固視標棒像５３は矢印５６，５７で示した方向に進退移動し、モニターテレビ２３に映し出される固視標棒像５３の鮮明度が変化する。
【００２７】
従って、検者はシリンダ２６をＺ方向に移動させて、図６中の固視標棒像５３は矢印５６，５７で示した方向に進退移動操作することにより、モニターテレビ２３に映し出される固視標棒像５３を鮮明にする。
【００２８】
そして、この状態で、光ファイバ３９の他端部（先端部）３９ａを上述のようにＹ方向及びＸ方向に移動操作することで、図６中の固視標棒像５３を矢印５４，５５で示した方向に進退移動操作することにより、被検眼Ｅを誘導する。
（２）．眼底疾患の視力による検査
ところで、網膜と視力の関係を見ると、視力は中心窩５２ａで最も良く、中心窩５２ａから離反するに従って急激に悪くなる。従って、実際には、健康な人であれば、中心窩５２ａが最もよく見え、中心窩５２ａを含む黄斑部５２内が比較的良く見えることになるので、通常、黄斑部５２で見ていることになる。
【００２９】
しかしながら、中心窩５２ａの部分に何らかの疾患があり、この中心窩５２ａの部分の視力が殆どなくなっている場合には、この中心窩５２ａの部分に固視標光束を投影しても被検者には見えないことになる。また、黄斑部５２の一部に同様な疾患がある場合、その疾患部でも同様に固視標光束が見えないことになる。
【００３０】
この様な虞のある場合、光ファイバ３９の他端部（先端部）３９ａを上述のようにＹ方向及びＸ方向に移動操作することで、図６中の固視標棒像５３を矢印５４，５５で示した方向に間欠的に又は緩慢に進退移動操作する。この移動操作に伴い、検者は被検者に固視標光束が見えるか否かを所定間隔又は一定時間毎に応答させる。この応答タイミングとして演算制御回路２２ａは、応答を促す信号音をスピーカ４４から出して被検者に聞かせ、この音がしたとき応答させる。
【００３１】
そして、例えば「見えない」との応答があったときに、検者が応答スイッチ４３を押すことで、この応答スイッチ４３からのＯＮ信号を演算制御回路２２ａに入力させる。これにより演算制御回路２２ａは、固視標棒像５３を含む眼底像Ｅｆ′の１フレーム分の画像をハードディスク，光磁気ディスク，ＤＶＤ−ＲＡＭ，ＭＯ，ＣＤＲ，ＣＤ−ＲＷ等その他の情報記録再生装置に記録する。
【００３２】
この応答スイッチ４３は被検者に操作させてもよい。即ち、応答を促す信号音をスピーカ４４からあったときに、「見えない」場合、応答スイッチ４３を押すようにさせて、この時の画像を上述の様に記録させるようにしてもよい。
【００３３】
この様にして得られた多数の眼底画像と固視標棒像５３を解析して、見えない位置のマップを眼底像に重ねて表示することにより、眼底Ｅｆの疾患部の範囲や状態を知ることができ、眼底疾患の判断に用いることができる。
【００３４】
尚、被検眼を誘導固定する固視標と、上述の固視光束のような疾患部を検査するための光束を検査光束として眼底に投影する検査光学系を観察系に設けて、被検眼を固視標により所定方向に固定した状態で、  検査光学系により上述した検査のための光束を眼底に投影するようにしても良い。また、この場合、眼底の多数箇所にランダムに検査光束を投影して、上述と同じような検査をすることもできる。この検査は視野計の検査に代えることも可能である。
【００３５】
この場合、検査光学系は、光軸と直交する方向に複数配列された複数の検査光源を設けた構成とすることもできる。また、この検査は、視野計のデータと共に用いることで、より正確な眼底疾患を検査できる。
（３）弱視等の場合の検査
弱視の人の場合、視力は弱いが、眼球や視神経などに以上があるか否かの説明はつかない。特に、視神経に異常がある場合には（２）で示したような検査を行うことにより、どの位置の視神経が悪いかを特定可能である。また、弱視の人の場合、どこを見ているか分からない場合がある。この場合も、（２）で示したような検査を行うことにより、どこを見ているかを特定できる。
【００３６】
さらに、検者は、光量切換スイッチ４０により固視用光源３３の光量を順次切り替え、光ファイバ３９の他端部（先端部）３９ａから出射する固視用光束がどのくらいの光量となったときに被検者が視認できるかの確認を行う。この場合も、被検者から「視認できた」という応答があったときに、り検者が応答スイッチ４３をＯＮさせるか、又は、被検者が「視認できた」ときに応答スイッチ４３を自らＯＮさせるようにする。そして、この時の固視用光源３３の光量を記録手段４２に記録させる。
【００３７】
また、フィルタ保持部材３６を長手方向にスライド操作して、フィルタＦ１〜Ｆ３のうち光源取付穴３２に臨むものを順次切り換えると共に、光量切換スイッチ４０により固視用光源３３の光量を順次切り替え、光ファイバ３９の他端部（先端部）３９ａから出射する固視用光束がどのくらいの光量となったときに被検者が視認できるかの確認を行う。この場合も、被検者から「視認できた」という応答があったときに、り検者が応答スイッチ４３をＯＮさせるか、又は、被検者が「視認できた」ときに応答スイッチ４３を自らＯＮさせるようにする。そして、この時の固視用光源３３の光量及びフィルタＦ１〜Ｆ３のいずれであるかを対応させて記録手段４２に記録させる。
【００３８】
尚、この際、演算制御回路２２ａは、フィルタＦ１〜Ｆ３が光源取付穴３２に臨んであるかは、近接スイッチＳ１，Ｓ２が磁性体Ｍ１，Ｍ２のいずれを検出しているか否かで判断できる。即ち、近接スイッチＳ１，Ｓ２が磁性体Ｍ１，Ｍ２のいずれも検出していなければ、フィルタＦ２が光源取付穴３２に臨んでいることが分かり、近接スイッチＳ１が磁性体Ｍ１を検出していれば、フィルタＦ１が光源取付穴３２に臨んでいることが分かり、近接スイッチＳ２が磁性体Ｍ２を検出していれば、フィルタＦ２が光源取付穴３２に臨んでいることが分かる。この判断は演算制御回路２２ａにより行われる。
【００３９】
この様にすることで被検眼Ｅがどの色に対してどの程度の光量で視認できるかを確認することで、被検眼Ｅの弱視の程度を定量的に診断できることになる。
【００４０】
また、この様な固視用光束の光量や色を切り換えて診断する他に、点滅周期切換手段４１を操作して固視用光源３３を点滅させると共にその点滅周期を変化させる。そして、固視用光源３３の点滅周期（点滅間隔）がどの程度の範囲で分かるか否かを被検者に確認させ、上述と同様にして確認できたときに応答スイッチ４３をＯＮさせて、この時の点滅周期（点滅間隔）を記録手段４２に記録させることで、被検眼Ｅの弱視の程度を定量的に診断できることになる。
【００４１】
また、固視用光源３３の点滅周期の変化と光量の変化との関係や固視用光束の色とを組み合わせて、光ファイバ３９の他端部（先端部）３９ａから出射する固視用光束を眼底Ｅｆに投影して、上述と同様にして確認できたときに応答スイッチ４３をＯＮさせて、この時の固視用光束（固視標）の点滅周期（点滅間隔）や光量、色等を記録手段４２に記録させることで、被検眼Ｅの弱視の程度を定量的に診断できることになる。
【００４２】
上述したように固視標装置は固視標の点灯と点滅の呈示状態を切り替え可能である構成とすることで、点灯時や点滅時の見え方の違いを容易に診断できる。また、固視標装置は前記固視標の点灯と点滅の輝度を変更可能である構成とすることにより、どの程度の光量で見え方が変わるかを定量的に診断できる。さらに、固視標装置は、固視標を点滅の呈示状態で呈示させると共に、点滅周期を切り替え可能である構成とすることにより、どの程度の点滅間隔で見え方が変わるかを定量的に診断できる。また、固視標装置は、固視標を点滅の輝度を変更可能である構成とすることにより、どの程度の光量及び点滅間隔でで見え方が変わるかを定量的に診断できる。更に、固視標の呈示状態は２以上の呈示色である構成とすることにより、どの呈示色で見え方が変わるかを定量的に診断できる。
【００４３】
【発明の効果】
以上説明したように、請求項１の発明の眼底カメラは、被検眼の眼底を照明する照明系と、この照明系により照明された眼底を観察する観察系と、固視標光束を先端部から前記眼底に向けて出射する固視標棒が前記照明系に配置されていると共に、前記先端部が前記固視標棒と共にＸ，Ｙ方向に移動操作可能に設けられた固視装置と、前記先端部の呈示状態を被検者の応答に応じて検者又は被検者が入力する応答入力手段と、前記応答入力手段により入力された応答と前記固視標の呈示状態を対応して記録する記録手段と、前記照明系から赤外光を出射させて前記固視標棒の固視標棒像を前記赤外光により前記眼底に投影させて前記眼底および前記固視標棒像を前記観察系により赤外光で観察させる制御回路と、を備え、前記制御回路は、前記赤外光による観察時に前記固視標装置を制御して、前記被検眼に視認させる前記固視標光束を前記固視標棒の先端部から出射させて前記眼底に投影させる構成としたので、弱視や眼底疾患を有する被検者の見え方がどのようになっているかを簡易且つ正確に診断できる。
【図面の簡単な説明】
【図１】検眼装置の光学系の一例を示す説明図である。
【図２】図１に示した固視標装置の断面図である。
【図３】図２の部分拡大図である。
【図４】図３のＡ−Ａ線に沿う断面図である。
【図５】図１に示した検眼装置の制御回路図である。
【図６】図１に示したモニターテレビの表示画面の表示例を示す説明図である。
【符号の説明】
Ｅ・・・被検眼
Ｅｆ・・・眼底
Ａ・・・照明系（照明光学系）
Ｂ・・・観察撮影系（観察撮影光学系）
Ｃ・・・固視標装置
Ｄ・・・制御回路
２２・・・赤外テレビカメラ（撮像手段）
２２ａ・・・演算制御回路２２ａ
２３・・・モニターテレビ（表示装置）
４０・・・光量切換手段
４１・・・点滅周期切換手段
４２・・・記録手段
４３・・・応答スイッチ
【図１】
0004641102.tif 000002
【図２】
0004641102.tif 000003
【図３】
0004641102.tif 000004
【図４】
0004641102.tif 000005
【図５】
0004641102.tif 000006
【図６】
0004641102.tif 000007